(57)【特許請求の範囲】
【請求項１】
シート体を収納する本体と、
前記本体に設けられ収納された前記シート体を取り出すための取り出し口と、
前記本体に移動可能に取り付けられ、移動することで前記取り出し口の開口部の大きさ又は形状、若しくは、大きさ及び形状を可変にする可変部材と
を備え、
前記取り出し口は、前記本体に設けられた第１の取り出し口と、前記可変部材により形成され、中心部分で２つに分割された第２の取り出し口とから構成され、
前記可変部材は、分割部分を接触させることにより形成される前記第２の取り出し口が、前記第１の取り出し口に重なるように移動可能に前記本体の内側、若しくは、外側に設けられることを特徴とする
シート体収納容器。
【請求項２】
シート体を収納する本体と、
前記本体に設けられ収納された前記シート体を取り出すための取り出し口と、
前記取り出し口の開口部の大きさ又は形状、若しくは、大きさ及び形状を可変にする可変部材と
を備え、
前記可変部材は、水平方向に移動可能に前記本体の内側、若しくは、外側に重ねられて長手方向に対向するように二つ設けられ、
前記二つの可変部材の対向する縁部に、切り欠き部が設けられると共に、互いの前記切り欠き部が逆方向を向くように配置され、前記切り欠き部によって前記取り出し口を形成することを特徴とする
シート体収納容器。
【請求項３】
前記切り欠き部の形状が、略放物線状であることを特徴とする
請求項２に記載のシート体収納容器。
【請求項４】
前記可変部材は、
前記本体の長手方向に移動可能に前記本体の内側、若しくは、外側に設けられることを特徴とする
請求項１〜３の何れか一項に記載のシート体収納容器。
【請求項５】
前記可変部材は、
前記本体の長手方向に延在する一対のガイド部材に移動可能に係合されて設けられることを特徴とする
請求項１〜４の何れか一項に記載のシート体収納容器。
【請求項６】
前記ガイド部材の長手方向両端に前記可変部材の脱落を防止する脱落防止部材を設けたことを特徴とする
請求項５に記載のシート体収納容器。
【請求項７】
前記第２の取り出し口の形状が円形、且つ、前記本体の短手方向に切り込みを設けた形状あることを特徴とする
請求項１に記載のシート体収納容器。
【発明の詳細な説明】
【技術分野】
【０００１】
本発明は、シート体収納容器に関する。
【背景技術】
【０００２】
従来、水分や薬液（アルコール等）を含有させたウェットティシュー等のシート体を収納するシート体収納容器がある。このようなシート体収納容器では、前述のシート体の重なり防止（複数枚が一度に取り出されることの防止）や含有された薬液の蒸散防止のために、シート体の仕様や含有される薬液の成分に合わせて取り出し口の形状を変えている。
【０００３】
このため、シート体収納容器に収納された様々な仕様のシート体や様々な薬液が含有されるシート体を、確実に一枚ずつ取り出すことが可能な取り出し口の形状が知られている（例えば、特許文献１及び特許文献２参照）。
【先行技術文献】
【特許文献】
【０００４】
【特許文献１】特開２００２−０６８３３３号公報
【特許文献２】特許第３９８６２４７号公報
【発明の概要】
【発明が解決しようとする課題】
【０００５】
しかしながら、このような取り出し口は、シート体収納容器に収納された様々な仕様のシート体や様々な薬液が含有されるシート体に個々に対応しているため、或る仕様のシート体に対応する取り出し口を有するシート体収納容器に、異なる仕様のシート体を収納した場合、シート体の重なり防止や含有された薬液の蒸散防止と言った効果を十分に実現できないといった問題点があった。
【０００６】
例えば、通常のドライティシュー（シート体）やウェットティシュー（シート体）に対応する取り出し口を有するシート体収納容器に、アルコール濃度の高い薬液を含有させたウェットティシュー（シート体）を収納した場合には、取り出し口が大きいため薬液が蒸散し易くなってしまう。
【０００７】
本発明の課題は、収納するシート体の仕様や当該シート体が含有する薬液に対応して好適に取り出すことが可能なシート体収納容器を提供することにある。
【課題を解決するための手段】
【０００８】
前記課題を解決するために、請求項１記載の発明は、
シート体を収納する本体と、
前記本体に設けられ収納された前記シート体を取り出すための取り出し口と、
前記本体に移動可能に取り付けられ、移動することで前記取り出し口の開口部の大きさ又は形状、若しくは、大きさ及び形状を可変にする可変部材と
を備え、
前記取り出し口は、前記本体に設けられた第１の取り出し口と、前記可変部材により形成され、中心部分で２つに分割された第２の取り出し口とから構成され、
前記可変部材は、分割部分を接触させることにより形成される前記第２の取り出し口が、前記第１の取り出し口に重なるように移動可能に前記本体の内側、若しくは、外側に設けられることを特徴とする。
【００１２】
シート体を収納する本体と、
前記本体に設けられ収納された前記シート体を取り出すための取り出し口と、
前記取り出し口の開口部の大きさ又は形状、若しくは、大きさ及び形状を可変にする可変部材と
を備え、
前記可変部材は、水平方向に移動可能に前記本体の内側、若しくは、外側に重ねられて長手方向に対向するように二つ設けられ、
前記二つの可変部材の対向する縁部に、切り欠き部が設けられると共に、互いの前記切り欠き部が逆方向を向くように重ねて配置され、前記切り欠き部によって前記取り出し口を形成することを特徴とする。
【００１３】
請求項３記載の発明は、請求項２に記載のシート体収納容器において、
前記切り欠き部の形状が、略放物線状であることを特徴とする。
【００１４】
請求項４記載の発明は、請求項１〜３の何れか一項に記載のシート体収納容器において、
前記可変部材は、
前記本体の長手方向に移動可能に前記本体の内側、若しくは、外側に設けられることを特徴とする。
【００１５】
請求項５記載の発明は、請求項１〜４の何れか一項に記載のシート体収納容器において、
前記可変部材は、
前記本体の長手方向に延在する一対のガイド部材に移動可能に係合されて設けられることを特徴とする。
【００１６】
請求項６記載の発明は、請求項５に記載のシート体収納容器において、
前記ガイド部材の長手方向両端に前記可変部材の脱落を防止する脱落防止部材を設けたことを特徴とする。
【００１８】
請求項７記載の発明は、請求項１に記載のシート体収納容器において、
前記第２の取り出し口の形状が円形、且つ、前記本体の短手方向に切り込みを設けた形状あることを特徴とする。
【発明の効果】
【００１９】
本発明によれば、可変部材により、シート体を本体から取り出すための取り出し口の開口部の大きさを変えることができるので、収納するシート体の仕様や当該シート体が含有する薬液に対応して取り出し口の開口部の大きさを変えることで薬液の蒸散を抑えつつ好適にシート体を取り出すことが可能になる。
【図面の簡単な説明】
【００２０】
【図１】第１実施形態のシート体収納容器の一例を示す斜視図である。
【図２】第１実施形態のシート体収納容器の一例を示す平面図である。
【図３】第１実施形態のシート体収納容器の内部の一例を示す平面図である。
【図４】第１実施形態のシート体収納容器の一例を示す平面図である。
【図５】第１実施形態のシート体収納容器の内部の一例を示す平面図である。
【図６】第１実施形態のシート体収納容器の変形例１を示す平面図である。
【図７】第１実施形態のシート体収納容器の変形例２を示す平面図である。
【図８】第２実施形態のシート体収納容器の一例を示す斜視図である。
【図９】第２実施形態のシート体収納容器の一例を示す平面図である。
【図１０】第２実施形態のシート体収納容器の内部の一例を示す平面図である。
【図１１】第２実施形態のシート体収納容器の一例を示す平面図である。
【図１２】第２実施形態のシート体収納容器の内部の一例を示す平面図である。
【発明を実施するための形態】
【００２１】
以下、図面を参照しつつ、本発明の実施形態であるシート体収納容器を詳細に説明する。但し、発明の範囲は、図示例に限定されない。
【００２２】
（第１実施形態）
本発明の第１実施形態のシート体収納容器について、図１、図２、図３、図４及び図５に基づいて説明する。
【００２３】
シート体収納容器１００は、図１に示すように、水分や薬液（アルコール等）を含有させたウェットティシュー等のシート体を収納する本体１の上部に取り出し口２（第１の取り出し口）及び取り出し口３（第２の取り出し口）がそれぞれ重なるように設けられる。
また、このように設けられた取り出し口２及び３を覆って気密性を保持するために上蓋４が設けられる。そして、本体１の底部には、前述のシート体を収納するための開口部を塞ぐための底蓋５が設けられる。
【００２４】
ここで、本体１、取り出し口２及び３には、ＰＰ（ポリプロピレン（polypropylene））、ＰＥ（ポリエチレン（polyethylene））、ＰＥＴ（ポリエチレンテレフタラート（Polyethylene terephthalate））、ＡＢＳ樹脂（アクリロニトリル（Acrylonitrile）、ブタジエン（Butadiene）、スチレン（Styrene）共重合合成樹脂の総称）、塩化ビニール等の樹脂素材を用いることができる。
【００２５】
また、本体１と底蓋５は、柔らかい樹脂の組み合わせにして、気密性を保持し、さらに、上蓋４の内側にエラストマーやシリコンを使用したパッキンを設けることにより、上蓋４を閉めた際により気密性を向上させることもできる。
また、上蓋４の開閉のために、本体１側に係止部材（図示せず。）を、上蓋４に金属バネやシリコンの弾性部材（図示せず。）をそれぞれ設けて、当該係止部材により上蓋４を係止して上蓋４を閉じた状態を保持し、係止を解除することにより、弾性部材により上蓋４が跳ね上がると共に図１に示すように上蓋４が開いた状態を保持することもできる。
【００２６】
また、本体１、取り出し口２及び３、上蓋４、底蓋５の製造方法としては、インジュクションブロー成型を用いることができる。また、底蓋５にラベルを付す場合には、シール貼り付け、若しくは、インモールドラベルにより行うことができる。
【００２７】
図２及び図３に示すように、通常のウェットティシュー（シート体）を一枚一枚取り出すのに適した、縦長の楕円に羽が生えたような形状の開口部である、取り出し口２（第１の取り出し口）が、本体１の上部に設けられる。
【００２８】
一方、図３に示すように、アルコール濃度の高い薬液を含有させたウェットティシュー（シート体）を一枚一枚取り出すのに適した円形の形状の開口部であり、取り出し口２（第１の取り出し口）の開口部よりも小さな開口部である、取り出し口３（第２の取り出し口）が設けられた可変部材は、取り出し口３（第２の取り出し口）の中心部分で可変部材３１及び３２に２つに分割される。
【００２９】
そして、可変部材３１及び３２は、シート体収納容器１００（或いは、本体１）の長手方向に移動可能なように、取り出し口２（第１の取り出し口）が形成された本体１の内側、若しくは、外側に設けられる。
例えば、図３に示すように、取り出し口２（第１の取り出し口）が形成された本体１の内側、若しくは、外側に設けられた２つのレール等のガイド部材６（以下、単にレールと呼ぶ。）の間に、可変部材３１及び３２を係合して、図３中矢印方向（シート体収納容器１００（或いは、本体１）の長手方向）に移動可能な状態にする。
【００３０】
但し、可変部材３１及び３２は、手で簡単に移動可能な程度に、２つのレールの間に係合されるものとする。
【００３１】
図２及び図３に示すように、可変部材３１及び３２を互いに接近するように移動させて分割部分を接触させると、取り出し口３（第２の取り出し口）が形成される。
さらに、このように形成された取り出し口３（第２の取り出し口）を、取り出し口２（第１の取り出し口）上に重ねるようにすると、取り出し口２（第１の取り出し口）の一部は、可変部材３１及び３２に覆われてしまい、結果として本体１上部には、開口部として取り出し口３（第２の取り出し口）が設けられた状態になる。
【００３２】
一方、図４及び図５では、可変部材３１及び３２には互いに離れた状態にあるので、取り出し口３（第２の取り出し口）が形成されておらず、また、取り出し口２（第１の取り出し口）の上部を可変部材３１及び３２が覆っていないので、結果として本体１上部には、開口部として取り出し口２（第１の取り出し口）が設けられた状態になる。
【００３３】
すなわち、可変部材３１及び３２をシート体収納容器１００（或いは、本体１）の長手方向に移動させ、可変部材３１及び３２を互いに離す、若しくは、分割部分を接触させることにより、シート体収納容器１００の取り出し口の形状を実質的に変えることができる。
【００３４】
このため、図２及び図３に示すように、可変部材３１及び３２を、シート体収納容器１００（或いは、本体１）の長手方向に、互いに接近するように移動させて分割部分を接触させると共に、取り出し口２（第１の取り出し口）上に重ねて、実質的に本体１上部の開口部として取り出し口３（第２の取り出し口）が設けられた状態にすれば、取り出し口２（第１の取り出し口）の開口部よりも小さいので、水分量が多く（高含浸率）シート体同士が互いに貼り付きやすい場合や、薬液のアルコール濃度が高くて薬液が蒸散しやすい場合であっても、シート体の重なりを防止し、薬液の蒸散を抑えシート体の乾燥を防止するといった品質の保持が可能になる。
【００３５】
また、図４及び図５に示すように、可変部材３１及び３２を、シート体収納容器１００（或いは、本体１）の長手方向に移動させて互いに離れた状態にすると共に、取り出し口２（第１の取り出し口）の上部を可変部材３１及び３２で覆わず、実質的に本体１上部の開口部として取り出し口２（第１の取り出し口）が設けられた状態にすれば、通常のドライティシュー（シート体）やウェットティシュー（シート体）を一枚一枚確実に取り出すことが可能になる。
【００３６】
以上のように、第１実施形態では、本体１に設けられ収納されたシート体を取り出すための取り出し口２よりも開口部が小さい取り出し口３が設けられた可変部材を、取り出し口３の中心部分で２つに分割して、取り出し口３が取り出し口２に重なるように移動可能に本体１の内側、若しくは、外側に設けることにより、シート体収納容器１００に収納するシート体の仕様や当該シート体が含有する薬液に対応して取り出し口の形状を変えることが可能になる。
【００３７】
また、本体１に設けられたガイド部材６であるレールの間に、可動部である可変部材３１及び３２を係合して移動可能な状態にされているので、可変部材３１及び３２の紛失が防止でき、可変部材３１及び３２の保管管理も不要になる。
【００３８】
（変形例１）
本発明の第１実施形態の変形例１について、図６に基づいて説明する。但し、本発明の第１実施形態と同様の説明は省略する。また、図６は変形例１のシート体収納容器１００の内部の一例を示す平面図である。
変形例１では、可変部材に、アルコール濃度の高い薬液を含有させたウェットティシュー（シート体）を一枚一枚取り出すのに適した、円形であってシート体収納容器１００（或いは、本体１）の短手方向に切り込みを設けた形状の開口部であり、且つ、取り出し口２（第１の取り出し口）の開口部よりも小さな開口部である、取り出し口３３（第２の取り出し口）を設ける。
【００３９】
そして、取り出し口３３（第２の取り出し口）の中心部分で可変部材３１及び３２に２つに分割して、可変部材３１及び３２を、シート体収納容器１００（或いは、本体１）の長手方向に移動可能なように、取り出し口２（第１の取り出し口）が形成された本体１の内側、若しくは、外側に設ける。
【００４０】
以上のように、変形例１では、取り出し口３３（第２の取り出し口）を、円形であってシート体収納容器１００（或いは、本体１）の短手方向に切り込みを設けた形状の開口部であり、且つ、取り出し口２（第１の取り出し口）の開口部よりも小さな開口部とすることにより、本発明の第１実施形態と同様の効果を奏する。
【００４１】
また、可変部材に、アルコール濃度の高い薬液を含有させたウェットティシュー（シート体）を一枚一枚取り出すのに適した、シート体収納容器１００（或いは、本体１）の長手方向、或いは、短手方向の長い楕円形の形状の開口部であり、且つ、取り出し口２（第１の取り出し口）の開口部よりも小さな開口部であっても構わない。
【００４２】
また、このような取り出し口（第２の取り出し口）の中心部分で可変部材に２つに分割して、可変部材を、シート体収納容器１００（或いは、本体１）の長手方向に移動可能なように、取り出し口２（第１の取り出し口）が形成された本体１の内側、若しくは、外側に設けても構わない。
【００４３】
（変形例２）
また、本発明の第１実施形態の変形例２について、図７に基づいて説明する。但し、本発明の第１実施形態と同様の説明は省略する。また、図７は変形例２のシート体収納容器１００の内部の一例を示す平面図である。
取り出し口３（第２の取り出し口）を使用しない場合には、図４或いは図５に示すように、可変部材３１及び３２をシート体収納容器１００（或いは、本体１）の長手方向であって、両側に移動させて互いに離れた状態にするが、単純に、ガイド部材６である２つのレールに可変部材３１及び３２を移動可能に係合しただけでは、レールの両端の部分で可変部材３１及び３２が外れてしまう恐れがある。
このため、変形例２では、図７に示すように、２つのレールの両端にストッパー等の脱落防止部材７をそれぞれ設ける。
【００４４】
以上のように、変形例２では、可変部材３１及び３２を係合するレールの両端に脱落防止部材７をそれぞれ設けることにより、２つのレールの間に係合されている可変部材３１及び３２が移動しすぎても、脱落防止部材７に接触してそれ以上移動することはできないので、レールの両端の部分で外れてしまうことを防止できる。
【００４５】
（第２実施形態）
本発明の第２実施形態のシート体収納容器について、図８、図９、図１０、図１１及び図１２に基づいて説明する。但し、本発明の第１実施形態と同様の説明は省略する。
【００４６】
シート体収納容器１００は、図８に示すように、水分や薬液（アルコール等）を含有させたウェットティシュー等のシート体を収納する本体１の上部に、開口部の大きさが可変である取り出し口８が設けられる。
また、このように設けられた取り出し口８を覆って気密性を保持するために上蓋４が設けられる。そして、本体１の底部には、前述のシート体を収納するための開口部を塞ぐための底蓋５が設けられる。
【００４７】
図９及び図１０に示すように、長方形の部材にその長手方向から略放物線状の切り欠き部を設けた２枚の可変部材８１及び８２は、シート体収納容器１００（或いは、本体１）の長手方向に移動可能なように、本体１の内側、若しくは、外側に、互いの切り欠き部が逆方向に向くように重ねられて設けられる。
例えば、図１０に示すように、本体１の内側、若しくは、外側に設けられた２つのレール等のガイド部材６の間に、可変部材８１及び８２を係合して、シート体収納容器１００（或いは、本体１）の長手方向に移動可能な状態にする。
【００４８】
但し、可変部材８１及び８２は、手で簡単に移動可能な程度に、２つのレールの間に係合されるものとする。
【００４９】
そして、可変部材８１及び８２に設けられた切り欠き部が重なることにより、開口部が形成されることになり、このような開口部が、通常のドライティシュー（シート体）やウェットティシュー（シート体）を取り出すための取り出し口８として機能することになる。
【００５０】
図９及び図１０に示すように、可変部材８１及び８２の互いに重なり合う部分が増えるように移動（図１０中の矢印方向（内側）に移動）させると、大きさが可変である取り出し口８の開口部は狭くなる。
【００５１】
一方、図１１及び図１２では、可変部材８１及び８２の互いに重なり合う部分が減るように移動（図１２中の矢印方向（外側）に移動）させると、大きさが可変である取り出し口８の開口部は広くなる。
【００５２】
すなわち、可変部材８１及び８２をシート体収納容器１００（或いは、本体１）の長手方向に移動させ、可変部材８１及び８２の重なり合う部分が変化するように移動させることにより、シート体収納容器１００の取り出し口の形状を可変させることができる。
【００５３】
以上のように、第２実施形態では、本体１に設けられ収納された前記シート体を取り出すための開口部の大きさが可変である取り出し口を設けること、具体的には、長方形の部材にその短手方向から略放物線状の切り欠き部を設けた２枚の可変部材８１及び８２を互いに重なり、且つ、移動可能に本体１の内側、若しくは、外側に設けることにより、シート体収納容器１００に収納するシート体の仕様や当該シート体が含有する薬液に対応して取り出し口の形状を変えることが可能になる。
【００５４】
なお、本発明の第１実施形態の説明では、取り出し口３（第２の取り出し口）を設けた可変部材を可変部材３１及び３２の２つに分割し、取り出し口３が取り出し口２に重なるように移動可能に取り出し口２（第１の取り出し口）が形成された本体１の内側、若しくは、外側に設けているが、取り出し口３（第２の取り出し口）を設けた可変部材を分割することなく、取り出し口３が取り出し口２に重なるように着脱可能に当該本体１の内側、若しくは、外側に設けても構わない。
【００５５】
この場合、利用者側における、着脱する可変部材（分割前の可変部材３１及び３２）の保管管理が必要なるものの、シート体収納容器１００の構成そのものが単純になり、製造コスト等の面で有効である。
【００５６】
さらに、この場合、着脱する可変部材（分割前の可変部材３１及び３２）を複数種類（三種類以上）準備することにより、第１実施形態（二種類に対応可能）と比較して、三種類以上のシート体の仕様や当該シート体が含有する薬液に対応して取り出し口の形状を変えることが可能になる。
【００５７】
また、本発明の第１実施形態の説明では、取り出し口３（第２の取り出し口）を設けた可変部材を可変部材３１及び３２の２つに分割し、取り出し口３が取り出し口２に重なるように移動可能に取り出し口２（第１の取り出し口）が形成された本体１の内側、若しくは、外側に設けているが、取り出し口３（第２の取り出し口）を設けた可変部材を分割することなく、一枚の可変部材を取り出し口３が取り出し口２に重なるように移動可能に当該本体１の内側、若しくは、外側に設けても構わない。
【００５８】
この場合、本発明の第１実施形態と同様の効果を奏すると共に、部品点数が削減できるので、製造コスト等の面で有効である。
【００５９】
また、本発明の第２実施形態に対して、変形例２を適用しても構わない。すなわち、状変形部材８１及び８２を係合するレールの両端に脱落防止部材７をそれぞれ設けることにより、２つのレールの間に係合している可変部材８１及び８２が移動しすぎても、脱落防止部材７に接触してそれ以上移動することはできないので、レールの両端の部分で外れてしまうことを防止できる。
【００６０】
また、本発明の第２実施形態の説明に際しては、長方形の部材にその長手方向から略放物線状の切り欠き部を設けた２枚の可変部材を一例として例示しているが、勿論、部材の形状は長方形だけではなく正方形その他、移動可能に本体１の内側、若しくは、外側に重ねられて設けることができる形状であれば良く、切り欠きの方向も部材の長手方向のみならず短手方向であっても良く、また、切り欠き部の形状も放物線状の形状に限定される訳ではなく、方形、円形、楕円形、三角形、多角形等の形状であっても良い。
【００６１】
また、本発明の第１実施形態及び第２実施形態の説明に際しては、本体１に設けられる可変部材の移動可能な方向として、シート体収納容器１００（或いは、本体１）の長手方向を例示しているが、勿論、シート体収納容器１００（或いは、本体１）の短手方向であっても構わない。
さらに、移動可能な方向としては、長手方向や短手方向のみならず、本体１に取り付け可能な任意の方向であって構わない。
【符号の説明】
【００６２】
１００  シート体収納容器
１  本体
２、３、３３、８  取り出し口
３１、３２、８１、８２  可変部材
４  上蓋
５  底蓋
６  ガイド部材
７  脱落防止部材
【図１】
0006001925.tif 000002
【図２】
0006001925.tif 000003
【図３】
0006001925.tif 000004
【図４】
0006001925.tif 000005
【図５】
0006001925.tif 000006
【図６】
0006001925.tif 000007
【図７】
0006001925.tif 000008
【図８】
0006001925.tif 000009
【図９】
0006001925.tif 000010
【図１０】
0006001925.tif 000011
【図１１】
0006001925.tif 000012
【図１２】
0006001925.tif 000013